(57)【要約】【課題】この発明は、元竿管の後端の堅牢化を実現したうえで、後端取付部品の簡便にして容易な着脱を実現し得るようにすることにある。【解決手段】元竿管１０の後端に保護部材１５を密閉収容して、この保護部材１５内に肘当てグリップ１６あるいはロンググリップ１８を選択的に密閉収容するように構成したものである。【選択図】      図３
2005185190.tif 000002
【特許請求の範囲】
【請求項１】
内壁部に螺子部が設けられた元竿管と、
この元竿管の螺子部に螺合される螺子部が外壁部に設けられ、内壁部に後端取付部品収容部が設けられた前記元竿管の後端部に相互間が密閉されて内挿される保護部材と、
この保護部材の前記後端取付部品収容部に密閉収容される後端取付部品と、
を具備することを特徴とする魚釣用釣竿。
【請求項２】
前記保護部材は、先端部に前記元竿管の内壁方向に傾斜される竿管ガイド部が設けられ、基端部に前記元竿管の後端より突出される螺合操作部が設けられることを特徴とする請求項１記載の魚釣用釣竿。
【請求項３】
前記保護部材は、外壁部が先端方向に先太に形成されることを特徴とする請求項１又は２記載の魚釣用釣竿。
【請求項４】
前記保護部材は、先端部に穂先竿の一端が嵌合される穂先支持部が設けられる竿保護部を備えることを特徴とする請求項１乃至３のいずれか記載の魚釣用釣竿。
【請求項５】
前記保護部材は、前記元竿管に比して軟質であることを特徴とする請求項１乃至４のいずれか記載の魚釣用釣竿。
【請求項６】
さらに、前記保護部材に代えて前記元竿管の螺子部に螺合されて該元竿管の後端に密閉収容される尻栓を備えることを特徴とする請求項１乃至５のいずれか記載の魚釣用釣竿。
【発明の詳細な説明】
【技術分野】
【０００１】
この発明は、例えば海釣り等の釣り全般に用いられる魚釣用釣竿に関する。
【背景技術】
【０００２】
一般に、魚釣の釣り形態としては、その対象とする魚の種類や、釣り場等に応じて各種の態様が知られている。そこで、魚釣用釣竿においては、その竿管の元竿管に、尻栓に代えて選択的に肘当てグリップや、大物用ロンググリップを選択的に装着する方法が採られている。
【０００３】
このような魚釣用釣竿としては、元竿管の後端の内壁に螺子部を形成して、この螺子部を利用して元竿管の後端に尻栓を取付けるようにして、その釣り形態に応じて、元竿管の後端に取付けられる尻栓に代えて、後端取付部品である肘当てグリップを、元竿管の後端に螺合させて直接的に取付けて、所望の釣り形態を可能に構成されるものが知られている（例えば、特許文献１参照）。
【特許文献１】実開平６―２６４６２号公報
【発明の開示】
【発明が解決しようとする課題】
【０００４】
しかしながら、上記特許文献１の魚釣用釣竿では、その肘当てグリップを元竿管に着脱する際の締め付け過ぎや、釣り操作時等において、元竿管の後端に大きな負荷が加わると、元竿管の後端を破損したりする虞を有する。このために、元竿管の後端を、肉厚に形成したり、後端に補強部材を配さなければ、使用に耐えることが困難であるという問題を有する。
【０００５】
この発明は上記の事情に鑑みてなされたもので、構成簡易にして、元竿管の後端の堅牢化を実現したうえで、後端取付部品の簡便にして容易な着脱を実現し得るようにした魚釣用釣竿を提供することを目的とする。
【課題を解決するための手段】
【０００６】
この発明は、内壁部に螺子部が設けられた元竿管と、この元竿管の螺子部に螺合される螺子部が外壁部に設けられ、内壁部に後端取付部品収容部が設けられた前記元竿管の後端部に相互間が密閉されて内挿される保護部材と、この保護部材の前記後端取付部品収容部に密閉収容される後端取付部品とを備えて魚釣用釣竿を構成した。
【０００７】
上記構成によれば、元竿管の後端には、保護部材が密閉収容され、その後端取付部品収容部に対して後端取付部品が内挿されると、該後端取付部品が後端取付部品収容部に密閉収容されて、この後端取付部品が保護部材を介して取付けられる。これにより、後端取付部品の着脱時等における負荷や、該後端取付部品に付与される負荷が元竿管の後端に対して直接的に付与されることがなくなり、元竿管に補強を施すことなく、信頼性の高い確実な部品着脱が可能となる。
【発明の効果】
【０００８】
この発明によれば、構成簡易にして、元竿管の後端の堅牢化を実現したうえで、後端取付部品の簡便にして容易な着脱を実現し得るようにした魚釣用釣竿を提供することができる。
【発明を実施するための最良の形態】
【０００９】
以下、この発明の実施の形態について、図面を参照して詳細に説明する。
【００１０】
図１は、この発明の一実施の形態に係る魚釣用釣竿の外観構成を示すもので、元竿管１０は、例えば振出式の釣竿構造を有し、小径竿管を順に大径竿管内に収容する複数の竿管１１が伸縮自在に連設される。そして、この元竿管１０には、リール取付部１２が設けられ、このリール取付部１２には、リール１３が着脱自在に取付けられる。また、上記竿管１１には、釣糸案内用のガイド１４が所定の間隔を有して設けられる。
【００１１】
上記元竿管１０及び竿管１１は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管で形成される。なお、この釣竿構造としては、上記振出式の他にも、並継ぎ式あるいは印籠継ぎ式等の他の適宜の継合形式を採用することが可能である。
【００１２】
また、上記元竿管１０の後端には、保護部材１５を介して後端取付部品である、例えば図１に示すように肘当てグリップ１６や後述するロンググリップ１８（図５参照）が選択的に取付けられたり、あるいは図２に示すように尻栓１７が選択的に取付けられる。
【００１３】
上記保護部材１５は、上記元竿管１０に比して柔らかい軟質性のＡＢＳ樹脂、ナイロン等の樹脂材料で図３に示すように筒状に形成される。保護部材１５は、その外壁部が、上記元竿管１０の内壁部に嵌合可能に形成され、この外壁部の元竿管基端側の一端部側に、例えばローレットと称する螺合操作部１５１が設けられる。そして、この保護部材１５の外壁部には、螺着用の螺子部１５２が上記元竿管１０の後端の内壁部に設けられる螺子部１０１に対応して設けられる。また、保護部材１５の穂先竿管側の他端部には、その内壁の竿管案内用ガイド部１５３が、外形方向に傾斜されて形成される。
【００１４】
上記保護部材１５は、その一端部側から元竿管１０の後端側の内壁部に挿入され、その外壁部の螺子部１５２が元竿管１０の螺子部１０１に螺合されて、螺合操作部１５１を掴んで回転操作することにより、該元竿管１０の基端に螺着される。この際、保護部材１５と元竿管１０との間には、所謂，Ｏリング１５４が介在されて相互間が密閉される。そして、この保護部材１５内には、例えば上記肘当てグリップ１６が後述するように密閉収容される。
【００１５】
なお、上記保護部材１５は、その外壁部を先端部方向が外径方向に傾斜させて先太りに形成し、この傾斜を利用して元竿管１０の内壁部に密閉収容するように構成してもよく、上記Ｏリング１５４とともに元竿管１０内に収容するように構成することで、さらに元竿管１０に対する密閉性の向上が図れる。
【００１６】
上記肘当てグリップ１６は、図４に示すように湾曲面を有した肘当て部１６１が、例えば天然木、強化木、樹脂材料等で形成され、その基端部に取付部１６２が突出して設けられる。そして、この取付部１６２は、筒状のスリーブ部材１６３に挿入されて相互間が、図示しない螺子あるいは接着剤等を用いて取付けられる。スリーブ部材１６３は、その外壁部が上記保護部材１５の内径に対応され、その外壁部には、密閉用のＯリング１６４が所定の間隔に設けられる。これにより、肘当てグリップ１６は、そのスリーブ部材１６３が、上記元竿管１０に密閉収容された保護部材１５の内壁部にＯリング１６４を介して密閉収容されて、その肘当て部１６１を元竿管１０の基端に配する。
【００１７】
上記スリーブ部材１６３の先端部には、例えばＪＩＳＫ６２５３デュロメータ硬さ試験、タイプＥによる硬度６０〜９０で、好ましくは硬度８０度程度を有する竿管保護用の弾性部材１６５が挿着される。そして、この弾性部材１６５には、複数、例えば４個の凹状の竿管収容部１６６が所定の間隔に設けられる。この竿管収容部１６６には、例えば種類の異なる穂先の竿管１１が選択的に収容される。
【００１８】
また、上記元竿管１０の基端に密閉収容された保護部材１５には、上記肘当てグリップ１６に代えて大型の魚とのやりとりがし易くなる、例えば図５に示すようなロンググリップ１８が取付けられる。このロンググリップ１８は、グリップ本体１８１がＦＲＰ等で筒状に形成される。このグリップ本体１８１の基端部には、コルク、ゴム、樹脂材料（ＡＢＳ、ナイロン）、金属、ＥＶＡ樹脂（エチレン酢酸ビニル共重合体）材料等で形成される、例えばＪＩＳＫ６２５３デュロメータ硬さ試験、タイプＥによる硬度７０〜８０度を有する尻部１８２が取付けられ、この尻部１８２が挿入されるグリップ本体１８１の外周には、例えば糸巻きが施される。
【００１９】
また、グリップ本体１８１の先端部には、例えば筒状のスリーブ部材１８３の基端部が挿入されて取付けられ、例えば挿入部外周に糸巻きが施される。スリーブ部材１８３は、その外壁部が上記保護部材１５の内径に対応され、その外壁部には、密閉用のＯリング１８４が所定の間隔に設けられる。これにより、グリップ本体１８１は、そのスリーブ部材１８３が、上記元竿管１０に密閉収容された保護部材１５の内壁部にＯリング１８４を介して密閉収容されて、そのグリップ本体１８１を元竿管１０の基端に取付け配置する。
【００２０】
そして、スリーブ部材１８３の先端部には、例えばＪＩＳＫ６２５３デュロメータ硬さ試験、タイプＥによる硬度６０〜９０で、好ましくは硬度８０度程度を有する竿管保護用の弾性部材        １８５が挿着される。そして、この弾性部材１８５には、複数、例えば４個の凹状の竿管収容部１８６が所定の間隔に設けられる。この竿管収容部１８６には、例えば種類の異なる穂先の竿管１１が選択的に収容される。
【００２１】
なお、上記肘当てグリップ１６及びロンググリップ１８の弾性部材１６５，１８５に設けた竿管収容部１６６，１８６には、上記尻栓１７の尻栓本体１７１の弾性部材１７５の竿管収容部１７６の案内部１７７と略同様に、その開口側に外方向に傾斜した案内部を設けるように構成してもよい。これにより、各竿管収容部１６５，１８５への穂先の竿管１１の簡便にして容易な着脱が可能となる。
【００２２】
また、上記元竿管１０には、その基端に上記保護部材１５に代えて上記尻栓１７が取付けられる。この尻栓１７は、図６に示すように樹脂材料、金属材料等で尻栓本体１７１が形成され、この尻栓本体１７１の外壁部には、例えばローレットと称する螺合操作部１７２が設けられる。そして、この尻栓本体１７１の基端部には、ゴム、樹脂材料（ＡＢＳ、ナイロン）、金属、ＥＶＡ樹脂等で形成される、例えばＪＩＳＫ６２５３デュロメータ硬さ試験、タイプＥによる硬度７０〜８０を有する尻部１７３が、固定、あるいは回転自在に取付けられる。
【００２３】
さらに、上記尻栓本体１７１には、先端部の外周壁に螺子部１７４が、上記元竿管１０の螺子部１０１に対応して設けられ、その内壁部には、例えばＪＩＳＫ６２５３デュロメータ硬さ試験、タイプＥによる硬度６０〜９０で、好ましくは硬度８０度程度を有する竿管保護用の弾性部材１７５が挿着される。そして、この弾性部材１７５には、複数、例えば４個の凹状の竿管収容部１７６が所定の間隔に設けられる。この竿管収容部１７６には、その開口側に外方向に傾斜した案内部１７７が設けられ、例えば種類の異なる穂先の竿管１１が選択的に収容される。
【００２４】
上記構成により、元竿管１０には、その基端に尻栓１７、肘当てグリップ１６、ロンググリップ１８が選択的に取付けられる。先ず、尻栓１７を取付ける場合には、その尻栓本体１７１の先端部を元竿管１０の基端にＯリング１７８を介在して直接的に挿入し、その螺子部１７４を元竿管１０の螺子部１０１に螺合させて取付ける。これにより、元竿管１０の基端に尻栓１７を挿着した状態での所望の釣り形態が可能となる。この際、尻栓本体１７１の弾性部材１７５の竿管収容部１７６には、上述したように使用していない穂先の竿管１１が収容される。
【００２５】
また、肘当てグリップ１６及びロンググリップ１８を使用する場合には、上記尻栓１７を元竿管１０より離脱させて、該元竿管１０の基端に上記保護部材１５を挿入し、その螺子部１５２を元竿管１０螺子部１０１に螺合させて取付ける。この状態で、例えば肘当てグリップ１６を元竿管１０に取付ける場合には、そのスリーブ部材１６３をＯリング１６４を介して保護部材１５内に押し込んで所定の位置に挿入する。これにより、肘当てグリップ１６は、元竿管１０の基端に所望の回転トルクを有して取付けられる。この挿着操作に伴う負荷力は、保護部材１５に付与され、元竿管１０の基端への直接的な負荷となることがない。この際、スリーブ部材１６３の弾性部材１６５の竿管収容部１６６には、上述したように使用していない穂先の竿管１１が収容される。
【００２６】
また、上記ロンググリップ１８を元竿管１０の基端に取付ける場合には、先ず、上記肘当てグリップ１６を、その回転トルクに抗して保護部材１５内より離脱させる。この離脱操作に伴う負荷力は、保護部材１５に付与され、元竿管１０の基端への直接的な負荷となることがない。
【００２７】
ここで、ロンググリップ１８のグリップ本体１８１のスリーブ部材１８３の先端部を、Ｏリング１８４を介して上記保護部材１５内に押し込んで所定の位置に挿入する。これにより、ロンググリップ１８のグリップ本体１８１は、元竿管１０の基端に、所望の回転トルクを有して取付けられる。この挿着操作に伴う負荷力は、保護部材１５に付与され、元竿管１０の基端への直接的な負荷となることがない。
【００２８】
このように、上記魚釣用竿管は、元竿管１０の後端に保護部材１５を着脱自在に密閉収容して、この保護部材１５を利用して肘当てグリップ１６あるいはロンググリップ１８を選択的に密閉収容するように構成した。
【００２９】
これによれば、元竿管１０は、その肘当てグリップ１６及びロンググリップ１８の着脱操作に伴う負荷が保護部材１５を介して付与されることにより、その負荷力が軽減されるため、補強等を施すことなく、破損を含む損傷の防止が図れる。この結果、信頼性の高い確実な部品着脱操作を実現したうえで、軽量化の促進を図ることが可能となる。
【００３０】
なお、上記実施の形態では、尻栓１７を元竿管１０の後端に直接的に取付けるように構成した場合で説明したが、これに限ることなく、その他、尻栓１７を保護部材１５を介して元竿管１０の後端に取付けるように構成することも可能である。
【００３１】
また、上記実施の形態では、保護部材１５を筒状に形成するように構成した場合で説明したが、これに限ることなく、例えば保護部材１５の先端部に弾性部材を配して、中節後端部の保護や肘当てグリップの抜け防止をしたり、この弾性部材に、穂先竿管を選択的に収容可能な竿管収容部を設けるように構成することも可能である。
【００３２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３４】
【図１】この発明の一実施の形態に係る魚釣用釣竿のリール上向き使用形態を示した平面図である。
【図２】図１のリール下向き使用形態を示した平面図である。
【図３】図１の保護部材を取り出して示した一部断面図である。
【図４】図１の肘当てグリップを取り出して示した一部断面図である。
【図５】図１の肘当てグリップに代えて取付けられるロンググリップを示した一部断面図である。
【図６】図２の尻栓を取り出して示した一部断面図である。
【符号の説明】
【００３５】
１０…元竿管、１０１…螺子部、１１…竿管、１２…リール取付部、１３…リール、１４…ガイド、１５…保護部材、１５１…螺合操作部、１５２…螺子部、１５３…竿管案内用ガイド部、１５４…Ｏリング、１６…肘当てグリップ、１６１…肘当て部、１６２…取付部、１６３…スリーブ部材、１６４…Ｏリング、１６５…弾性部材、１６６…竿管収容部、１７…尻栓、１７１…尻栓本体、１７２…螺合操作部、１７３…尻部、１７４…ネジ部、１７５…弾性部材、１７６…竿管収容部、１７７…案内部、１７８…Ｏリング、１８…ロンググリップ、１８１…グリップ本体、１８２…尻部、１８３…スリーブ部材、１８４…Ｏリング、１８５…弾性部材、１８６…竿管収容部。
【図１】
2005185190.tif 000003
【図２】
2005185190.tif 000004
【図３】
2005185190.tif 000005
【図４】
2005185190.tif 000006
【図５】
2005185190.tif 000007
【図６】
2005185190.tif 000008